(57)【要約】【課題】  本発明は構造が簡単で、安価に製造することができるとともに、ペットボトルの凹凸部位に設けられた包装ラベルでも、容易に確実に切断除去することができるペットボトル用包装ラベル除去具を得るにある。【解決手段】  ペットボトルの外壁面に沿って移動させることができる、手で持つことができる支持板と、この支持板の先端部に取付けられたペットボトルの凹凸部を有する部位の外壁面に密着された包装ラベルを、該ペットボトルの凹凸部に沿って移動させることができる、先端部に刃を有する包装ラベル切断機構とでペットボトル用包装ラベル除去具を構成している。【選択図】  図６
2009112599.tif 000002
【特許請求の範囲】
【請求項１】
ペットボトルの外壁面に沿って移動させることができる、手で持つことができる支持板と、この支持板の先端部に取付けられたペットボトルの凹凸部を有する部位の外壁面に密着された包装ラベルを、該ペットボトルの凹凸部に沿って移動させることができる、先端部に刃を有する包装ラベル切断機構とからなることを特徴とするペットボトル用包装ラベル除去具。
【請求項２】
包装ラベル切断機構は支持板の先端部側にＵ字状に切り欠いて、先端部が回動するように形成した回動バーと、この回動バーの先端部に固定された刃とで構成されていることを特徴とする請求項１記載のペットボトル用包装ラベル除去具。
【請求項３】
包装ラベル切断機構は支持板の先端部側にＵ字状に切り欠いて形成したバー部材と、このバー部材の先端部に固定された刃と、前記バー部材の両側の支持板部位を押し圧によって回動するように形成された回動支持部とで構成されていることを特徴とする請求項１記載のペットボトル用包装ラベル除去具。
【発明の詳細な説明】
【技術分野】
【０００１】
本発明はペットボトルの包装ラベルを除去する場合に使用されるペットボトル用包装ラベル除去具に関する。
【背景技術】
【０００２】
従来のペットボトル用包装ラベル除去具は手カギ状あるいは円形板の一部外周部に弧状の切欠部を形成し、該部に刃を固定したものが使用されている。
【０００３】
このように構成されたパットボトル用包装ラベル除去具は、ペットボトルの外周部が平坦な形状の場合には包装ラベルを比較的容易に切断除去することができるが、ペットボトルの外壁面に凹凸のある形状部位に包装ラベルが位置していると、刃が凹部状の部位に入ることができず、切断することができないという欠点があった。
【特許文献１】特開２００４−３５０８７
【発明の開示】
【発明が解決しようとする課題】
【０００４】
本発明は以上のような従来の欠点に鑑み、構造が簡単で、安価に製造することができるとともに、ペットボトルの凹凸部位に設けられた包装ラベルでも、容易に確実に切断除去することができるペットボトル用包装ラベル除去具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はペットボトルの外壁面に沿って移動させることができる、手で持つことができる支持板と、この支持板の先端部に取付けられたペットボトルの凹凸部を有する部位の外壁面に密着された包装ラベルを、該ペットボトルの凹凸部に沿って移動させることができる、先端部に刃を有する包装ラベル切断機構とでペットボトル用包装ラベル除去具を構成している。
【発明の効果】
【０００７】
以上の説明から明らかなように、本発明にあっては次に列挙する効果が得られる。
【０００８】
（１）ペットボトルの外壁面に沿って移動させることができる、手で持つことができる支持板と、この支持板の先端部に取付けられたペットボトルの凹凸部を有する部位の外壁面に密着された包装ラベルを、該ペットボトルの凹凸部に沿って移動させることができる、先端部に刃を有する包装ラベル切断機構とからなるので、凹凸のあるペットボトルの外壁面に沿って、先端部の刃を移動させて切断除去することができる。
したがって、容易に確実にペットボトルの凹凸部に設けられた包装ラベルを切断することができる。
【０００９】
（２）前記（１）によって、構造が簡単で、安価に製造することができる。
【００１０】
（３）請求項２も前記（１）、（２）と同様な効果が得られるとともに、回動バーを指先で押し圧することで、回動バーの回動量をペットボトルの凹凸の外壁面に応じた量にでき、楽しく包装ラベルを切断することができる。
【００１１】
（４）請求項３も前記（１）、（２）と同様な効果が得られるとともに、支持板の先端部をペットボトルの外壁面に押し当てることにより、凹凸部位では刃のあるバー部材の両側部の回動支持部が回動して、刃を凹部の包装ラベルを切断できる部位へ自動的に位置して切断することができる。
したがって、容易に包装ラベルを切断することができる。
【発明を実施するための最良の形態】
【００１２】
以下、図面に示す本発明を実施するための最良の形態により、本発明を詳細に説明する。
【００１３】
図１ないし図７に示す本発明を実施するための最良の第１の形態において、１はペットボトル２の外壁面に設けられた包装ラベル３を切断除去する本発明のペットボトル用包装ラベル除去具で、このペットボトル用包装ラベル除去具１はペットボトル２の外壁面に先端部を押し付けてスライド移動させられるように手で持つことができる支持板４と、この支持板４の先端部側にＵ字状に切り欠いて先端部を回動するように形成した回動バー５、この回動バー５の先端部より先端部が突出するように刃収納部６に固定された刃部７の下端部が下方へ突出する突出部８を有する刃９とからなる包装ラベル切断機構１０とで構成されている。
【００１４】
前記支持板４は図１ないし図５に示すように、手で持つことができる弧状の支持板本体１１と、この支持板本体１１の先端部に形成された中央部が外方へ突出する円弧状の支持部１２と、この支持部１２の中央部に形成された刃収納切欠部１３と、前記支持板本体１１の後端部の背面に固定された金属材に吸着させて保管するための磁石１４および吊り下げ紐１５とで構成されている。
【００１５】
上記構成のペットボトル用包装ラベル除去具１はペットボトル２の包装ラベル３の上部位置の外壁面に支持板４の支持部１２を位置させ、回動バー５の先端部を指先で押し圧して、図６に示すように下方へスライド移動させることにより、刃９で包装ラベル３を切断することができる。
なお、この切断時に、ペットボトル２に凹凸部がある部分に包装ラベル３が位置していても、指先の回動バー５の押し圧力によって、図７に示すように刃９が凹部へ入り込み、確実に包装ラベル３を切断することができる。
また、不使用時には回動バー５に固定された刃９は、支持板４の刃収納切欠部１３内に位置して、危険な状態になることはない。
[発明を実施するための異なる形態]
【００１６】
次に、図８ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図８ないし図１１に示す本発明を実施するための第２の形態において、前記本発明を実施するための最良の第１の形態と主に異なる点は、回動バー５の先端部に先端部方向へスライド移動可能に刃９を取付けた包装ラベル切断機構１０Ａを用いた点で、このような包装ラベル切断機構１０Ａを用いたペットボトル用包装ラベル除去具１Ａにしても、前記本発明を実施するための最良の第１の形態と同様な作用効果が得られるとともに、最適に使用できる位置に刃９を位置させて使用できるとともに、不使用時に刃９を収納状態にして安全に使用できる。
なお、１６は回動バー５の先端部に形成された刃９をスライド移動させるためのガイド溝、１７はこのガイド溝１６内をスライド移動可能な刃９と固定され、指先で移動させることができる操作釦である。
【００１８】
図１２ないし図１５に示す本発明を実施するための第３の形態において、前記本発明を実施するための最良の第１の形態と主に異なる点は、回動バー挿入孔１８および回動バー挿入孔１８に開口された回動バーガイド溝１９が形成されたほぼ長方形状で弧状の支持板４Ａと、この支持板４Ａの回動バー挿入孔１８内に先端部側が位置し、後端部が回動バーガイド溝１９内にスライド移動可能で、不使用時には回動バーガイド溝１９内に位置できるように取付けられた先端部に刃９を固定した弾性板で形成された回動バー５Ａを使用した包装ラベル切断機構１０Ｂを用いた点で、このように構成したペットボトル用包装ラベル除去具１Ｂにしても、前記本発明を実施するための最良の第１の形態と同様な作用効果が得られる。
【００１９】
図１６ないし図１９に示す本発明を実施するための第４の形態において、前記本発明を実施するための最良の第１の形態と主に異なる点は、長方形状で弧状に形成された支持板４Ｂの先端部寄りの部位にＵ字状の切欠部を形成してバー部材２０を形成し、このバー部材２０の先端部に先端部が外方へ突出する刃９を固定するとともに、前記バー部材２０の両側の支持板部位を刃収納切欠部１３Ａで分離し、押し圧によってそれぞれ回動できる回動支持部２１、２１にした包装ラベル切断機構１０Ｃを用いた点で、このような包装ラベル切断機構１０Ｃを用いて構成したペットボトル用包装ラベル除去具１Ｃにしても、前記本発明を実施するための最良の第１の形態と同様な作用効果が得られる。
すなわち、本発明を実施するための第４の形態では支持板４Ｂの先端部をペットボトル２に押し圧することにより、回動支持部２１、２１が図１９に示すように回動して、バー部材２０の刃９をペットボトル２の包装ラベル３を切断できる部位へ移動位置させることができるからである。
【００２０】
なお、前記本発明を実施する各形態では回動バー部材５、５Ａやバー部材２０の刃収納部６に刃９を固定的に取付けたものについて説明したが、本発明はこれに限らず、刃収納部６に刃９を取り替え可能に取付けられるようにしてもよい。
【産業上の利用可能性】
【００２１】
本発明はペットボトル用包装ラベル除去具を製造する産業で利用される。
【図面の簡単な説明】
【００２２】
【図１】本発明を実施するための最良の第１の形態の平面図。
【図２】本発明を実施するための最良の第１の形態の側面図。
【図３】本発明を実施するための最良の第１の形態の背面図。
【図４】図１の４−４線に沿う断面図。
【図５】図１の５−５線に沿う断面図。
【図６】本発明を実施するための最良の第１の形態の包装ラベルを切断する状態の説明図。
【図７】本発明を実施するための最良の第１の形態の包装ラベルを切断する状態の要部説明図。
【図８】本発明を実施するための第２の形態の平面図。
【図９】図８の９−９線に沿う断面図。
【図１０】図８の１０−１０線に沿う断面図。
【図１１】本発明を実施するための第２の形態の刃の収納状態から突出させる移動状態を示す説明図。
【図１２】本発明を実施するための第３の形態の平面図。
【図１３】図１２の１３−１３線に沿う断面図。
【図１４】図１２の１４−１４線に沿う断面図。
【図１５】本発明を実施するための第３の形態の回動バーの収納状態の説明図。
【図１６】本発明を実施するための第４の形態の平面図。
【図１７】図１６の１７−１７線に沿う断面図。
【図１８】本発明を実施するための第４の形態の回動支持部の説明図。
【図１９】本発明を実施するための第４の形態の包装ラベルの切断時の要部説明図。
【符号の説明】
【００２３】
１、１Ａ、１Ｂ、１Ｃ：ペットボトル用包装ラベル除去具、
２：ペットボトル、                  ３：包装ラベル、
４、４Ａ、４Ｂ：支持板、            ５、５Ａ：回動バー、        
６：刃収納部、                      ７：刃部、
８：突出部、                        ９：刃、
１０、１０Ａ、１０Ｂ、１０Ｃ：包装ラベル切断機構、
１１：支持板本体、                  １２：支持部、
１３、１３Ａ：刃収納切欠部、        １４：磁石、
１５：吊り下げ紐、                  １６：ガイド溝、
１７：操作釦、                      １８：回動バー挿入孔、
１９：回動バーガイド溝、            ２０：バー部材、
２１：回動支持部。
【図１】
2009112599.tif 000003
【図２】
2009112599.tif 000004
【図３】
2009112599.tif 000005
【図４】
2009112599.tif 000006
【図５】
2009112599.tif 000007
【図６】
2009112599.tif 000008
【図７】
2009112599.tif 000009
【図８】
2009112599.tif 000010
【図９】
2009112599.tif 000011
【図１０】
2009112599.tif 000012
【図１１】
2009112599.tif 000013
【図１２】
2009112599.tif 000014
【図１３】
2009112599.tif 000015
【図１４】
2009112599.tif 000016
【図１５】
2009112599.tif 000017
【図１６】
2009112599.tif 000018
【図１７】
2009112599.tif 000019
【図１８】
2009112599.tif 000020
【図１９】
2009112599.tif 000021